(57)【特許請求の範囲】
【請求項１】
複数のタブ用紙のタブ部への印字が可能な印刷装置を制御する印刷制御装置であって、
前記タブ部の位置情報を設定する第１の設定手段と、
前記タブ部に印字するインデックス印字データの印字位置を設定する第２の設定手段と、
前記第１の設定手段で設定された前記タブ部の位置情報と、前記第２の設定手段で設定された前記タブ部に印字するインデックス印字データの印字位置とに基づいて、前記複数のタブ用紙の全てのタブ部のガイド線と前記複数のタブ用紙の全てのタブ部のインデックスの情報とを含む１ページ分のテスト印刷データを生成するテスト印刷データ生成手段と、
前記テスト印刷データ生成手段によって生成された前記テスト印刷データに基づいて、１枚の用紙からなる試し刷りシートを印刷するテスト印刷手段と、を有し、
前記試し刷りシートは、前記タブ用紙と比較することによって、印字ズレ量を得るために使用されることを特徴とする印刷制御装置。
【請求項２】
前記テスト印刷データ生成手段は、前記第１の設定手段で設定される前記タブ部の位置情報に基づいて、前記タブ部の印字領域を示すガイド線を印字するための印刷データを生成することを特徴とする請求項１に記載の印刷制御装置。
【請求項３】
前記テスト印刷データ生成手段が生成するガイド線は、前記全てのタブ部の領域を含むように印刷されて、前記インデックス印字データの印字位置の調整量を計測するための詳細調整用測定目盛りを含むことを特徴とする請求項１または２に記載の印刷制御装置。
【請求項４】
前記テスト印刷データ生成手段で生成されたテスト印刷データを前記テスト印刷手段で印字後、前記第１の設定手段で前記タブ部の位置情報の再設定および前記第２の設定手段で前記タブ部に印字するインデックス印字データの印字位置の再設定の少なくともいずれかが可能であることを特徴とする請求項１乃至３のいずれか１項に記載の印刷制御装置。
【請求項５】
前記第２の設定手段では、前記インデックス印字データの印字位置をタブ用紙の長手方向および短手方向に調整可能であることを特徴とする請求項１乃至４のいずれか１項に記載の印刷制御装置。
【請求項６】
前記第２の設定手段は、前記インデックス印字データの印字位置を所望のタブ部毎に調整可能であることを特徴とする請求項５に記載の印刷制御装置。
【請求項７】
前記第２の設定手段は、前記タブ部の両面への印字が指定されている場合に、前記タブ部の一方の面へのインデックス印字データの印字位置設定に基づいて、もう一方の面に印字するインデックス印字データの印字位置を設定することを特徴とする請求項１乃至６のいずれか１項に記載の印刷制御装置。
【請求項８】
前記第１の設定手段で設定される前記タブ部の位置情報は、少なくともタブ用紙枚数と見開き方向とを含むことを特徴とする請求項１乃至７のいずれか１項に記載の印刷制御装置。
【請求項９】
複数のタブ用紙のタブ部への印字が可能な印刷装置の印刷制御方法であって、
前記タブ部の位置情報を設定する第１の設定工程と、
前記タブ部に印字するインデックス印字データの印字位置を設定する第２の設定工程と、
前記第１の設定工程で設定された前記タブ部の位置情報と、前記第２の設定工程で設定された前記タブ部に印字するインデックス印字データの印字位置とに基づいて、前記複数のタブ用紙の全てのタブ部のガイド線と前記複数のタブ用紙の全てのタブ部のインデックスの情報とを含む１ページ分のテスト印刷データを生成するテスト印刷データ生成工程と、
前記テスト印刷データ生成工程で生成された前記テスト印刷データに基づいて、１枚の用紙からなる試し刷りシートを印刷するテスト印刷工程と、を有し、
前記試し刷りシートは、前記タブ用紙と比較することによって、印字ズレ量を得るために使用されることを特徴とする印刷制御方法。
【請求項１０】
前記テスト印刷データ生成工程では、前記第１の設定工程で設定される前記タブ部の位置情報に基づいて、前記タブ部の印字領域を示すガイド線を印字するための印刷データを生成することを特徴とする請求項９に記載の印刷制御方法。
【請求項１１】
前記テスト印刷データ生成工程で生成するガイド線は、前記全てのタブ部の領域を含むように印刷されて、前記インデックス印字データの印字位置の調整量を計測するための詳細調整用測定目盛りを含むことを特徴とする請求項９または１０に記載の印刷制御方法。
【請求項１２】
前記テスト印刷データ生成工程で生成されたテスト印刷データを前記テスト印刷工程で印字後、前記第１の設定工程で前記タブ部の位置情報の再設定および前記第２の設定工程で前記タブ部に印字するインデックス印字データの印字位置の再設定の少なくともいずれかが可能であることを特徴とする請求項９乃至１１のいずれか１項に記載の印刷制御方法。
【請求項１３】
前記第２の設定工程では、前記インデックス印字データの印字位置をタブ用紙の長手方向および短手方向に調整可能であることを特徴とする請求項９乃至１２のいずれか１項に記載の印刷制御方法。
【請求項１４】
前記第２の設定工程では、前記インデックス印字データの印字位置を所望のタブ部毎に調整可能であることを特徴とする請求項１３に記載の印刷制御方法。
【請求項１５】
前記第２の設定工程では、前記タブ部の両面への印字が指定されている場合に、前記タブ部の一方の面へのインデックス印字データの印字位置設定に基づいて、もう一方の面に印字するインデックス印字データの印字位置を設定することを特徴とする請求項９乃至１４のいずれか１項に記載の印刷制御方法。
【請求項１６】
前記第１の設定手段で設定される前記タブ部の位置情報は、少なくともタブ用紙枚数と見開き方向とを含むことを特徴とする請求項９乃至１５のいずれか１項に記載の印刷制御方法。
【請求項１７】
複数のタブ用紙のタブ部への印字が可能な印刷装置の印刷制御方法をコンピュータに実行させるための印刷制御プログラムであって、
前記タブ部の位置情報を設定する第１の設定工程と、
前記タブ部に印字するインデックス印字データの印字位置を設定する第２の設定工程と、
前記第１の設定工程で設定された前記タブ部の位置情報と、前記第２の設定工程で設定された前記タブ部に印字するインデックス印字データの印字位置とに基づいて、前記複数のタブ用紙の全てのタブ部のガイド線と前記複数のタブ用紙の全てのタブ部のインデックスの情報とを含む１ページ分のテスト印刷データを生成するテスト印刷データ生成工程と、
前記テスト印刷データ生成工程で生成された前記テスト印刷データに基づいて、前記タブ用紙と比較することによって印字ズレ量を得るために使用される、１枚の用紙からなる試し刷りシートを印刷するテスト印刷工程と、をコンピュータに実行させるための印刷制御プログラム。
【請求項１８】
請求項１７に記載の印刷制御プログラムを記憶したコンピュータで読取り可能な記憶媒体。
【発明の詳細な説明】
【０００１】
【発明の属する技術分野】
本発明は、印刷制御装置、印刷制御方法及び印刷制御プログラムに関し、特に、タブ用紙のタブ部にインデックス情報を印刷できる印刷装置でインデックス情報を印刷させる際に、インデックス情報をタブ部の所定位置に正確に印刷させるよう制御する印刷制御装置、印刷制御方法及び印刷制御プログラムに関する。
【０００２】
【従来の技術】
従来、タブ用紙のタブ部にインデックス情報を印刷する機能（タブ用紙印刷機能）を有する印刷装置が知られているが、このような印刷装置は、印刷装置の製造メーカが指定した用紙メーカの特定タブ用紙に対してのみ、インデックス情報の正確な印刷が保証されている。
【０００３】
このような印刷装置の印字制御は印刷装置に設けられた、印刷装置の制御を行う印刷制御装置や、あるいは、印刷装置で印刷する印刷データを生成し、印刷装置と通信可能に接続されたコンピュータとしての印刷制御装置（情報処理装置）によって行われている。
【０００４】
【発明が解決しようとする課題】
しかしながら、ユーザは、印刷装置で印刷可能なタブ用紙ではない、汎用のタブ用紙を無作為に購入する場合がある。ユーザが購入したタブ用紙が印刷装置製造メーカの保証するタブ用紙ではなかった場合、タブ部の形状やサイズがメーカ指定のものと異なると、インデックス情報を印字した場合に印字ズレが発生してしまう可能性が大きい。そのため、普通紙と比較して高価なタブ用紙をインデックス情報の印字ズレで無駄にしてしまうという問題があった。
【０００５】
本発明は上記従来技術の問題を解決するためになされたものであり、その目的は、タブ用紙のタブ部にインデックス情報を印字する際に、複数種のタブ用紙のタブ部に正確にインデックス情報を印字できるように印刷装置を制御する印刷制御装置、印刷制御方法及び印刷制御プログラムを提供することである。
【０００６】
【課題を解決するための手段】
上記目的を達成するための本発明に係る一実施形態の印刷制御装置は、以下の構成を有する。すなわち、複数のタブ用紙のタブ部への印字が可能な印刷装置を制御する印刷制御装置であって、前記タブ部の位置情報を設定する第１の設定手段と、前記タブ部に印字するインデックス印字データの印字位置を設定する第２の設定手段と、前記第１の設定手段で設定された前記タブ部の位置情報と、前記第２の設定手段で設定された前記タブ部に印字するインデックス印字データの印字位置とに基づいて、前記複数のタブ用紙の全てのタブ部のガイド線と前記複数のタブ用紙の全てのタブ部のインデックスの情報とを含む１ページ分のテスト印刷データを生成するテスト印刷データ生成手段と、前記テスト印刷データ生成手段によって生成された前記テスト印刷データに基づいて、１枚の用紙からなる試し刷りシートを印刷するテスト印刷手段と、を有し、前記試し刷りシートは、前記タブ用紙と比較することによって、印字ズレ量を得るために使用されることを特徴とする。
【０００７】
ここで、例えば、前記テスト印刷データ生成手段は、前記第１の設定手段で設定される前記タブ部の位置情報に基づいて、前記タブ部の印字領域を示すガイド線を印字するための印刷データを生成することがことが好ましい。また、前記テスト印刷データ生成手段が生成するガイド線は、前記全てのタブ部の領域を含むように印刷されて、前記インデックス印字データの印字位置の調整量を計測するための詳細調整用測定目盛りを含むことが好ましい。また、前記テスト印刷データ生成手段で生成されたテスト印刷データを前記テスト印刷手段で印字後、前記第１の設定手段で前記タブ部の位置情報の再設定および前記第２の設定手段で前記タブ部に印字するインデックス印字データの印字位置の再設定の少なくともいずれかが可能であるすることが好ましい。
【０００９】
ここで、例えば、前記第２の設定手段では、前記インデックス印字データの印字位置をタブ用紙の長手方向および短手方向に調整可能であることが好ましい。
ここで、例えば、前記第２の設定手段は、前記インデックス印字データの印字位置を所望のタブ部毎に調整可能であることが好ましい。
【００１０】
ここで、例えば、前記第２の設定手段は、前記タブ部の両面への印字が指定されている場合に前記タブ部の一方の面へのインデックス印字データの印字位置設定に基づいて、もう一方の面に印字するインデックス印字データの印字位置を設定することが好ましい。
【００１１】
ここで、例えば、前記第１の設定手段で設定される前記タブ部の位置情報は少なくともタブ用紙枚数と見開き方向とを含むことが好ましい。
【００１２】
上記目的を達成するための本発明に係る一実施形態の印刷制御方法は、以下の構成を有する。すなわち、複数のタブ用紙のタブ部への印字が可能な印刷装置の印刷制御方法であって、前記タブ部の位置情報を設定する第１の設定工程と、前記タブ部に印字するインデックス印字データの印字位置を設定する第２の設定工程と、前記第１の設定工程で設定された前記タブ部の位置情報と、前記第２の設定工程で設定された前記タブ部に印字するインデックス印字データの印字位置とに基づいて、前記複数のタブ用紙の全てのタブ部のガイド線と前記複数のタブ用紙の全てのタブ部のインデックスの情報とを含む１ページ分のテスト印刷データを生成するテスト印刷データ生成工程と、前記テスト印刷データ生成工程で生成された前記テスト印刷データに基づいて、１枚の用紙からなる試し刷りシートを印刷するテスト印刷工程と、を有し、前記試し刷りシートは、前記タブ用紙と比較することによって、印字ズレ量を得るために使用されることを特徴とする。
【００１３】
上記目的を達成するための本発明に係る一実施形態の印刷制御プログラムは、以下の構成を有する。すなわち、複数のタブ用紙のタブ部への印字が可能な印刷装置の印刷制御方法をコンピュータに実行させるための印刷制御プログラムであって、前記タブ部の位置情報を設定する第１の設定工程と、前記タブ部に印字するインデックス印字データの印字位置を設定する第２の設定工程と、前記第１の設定工程で設定された前記タブ部の位置情報と、前記第２の設定工程で設定された前記タブ部に印字するインデックス印字データの印字位置とに基づいて、前記複数のタブ用紙の全てのタブ部のガイド線と前記複数のタブ用紙の全てのタブ部のインデックスの情報とを含む１ページ分のテスト印刷データを生成するテスト印刷データ生成工程と、前記テスト印刷データ生成工程で生成された前記テスト印刷データに基づいて、前記タブ用紙と比較することによって印字ズレ量を得るために使用される、１枚の用紙からなる試し刷りシートを印刷するテスト印刷工程と、をコンピュータに実行させる。
【００１４】
上記の印刷制御プログラムを記憶したコンピュータで読取り可能な記憶媒体を提供する。
【００２１】
【発明の実施の形態】
＜第１の実施形態＞
以下、本発明の実施の形態を印刷制御装置と印刷装置で構成される印刷システムについて図面を参照して説明する。なお以下の説明では、印刷制御装置として印刷制御を行うために情報処理装置（ホストコンピュータ）、また、印刷装置としてレーザビームプリンタを一例として説明するが、本発明を記載例に限定する趣旨ではない。
【００２２】
また、本発明の機能が実現されるのであれば、ホストコンピュータとプリンタとからなる印刷システムに限定するものでない。たとえば、印刷装置のコントローラで本発明を実現する制御を行うように構成してもよい。またＬＡＮ、ＷＡＮ等のネットワークを介して接続され処理が行われるシステムであってもよい。
【００２３】
またタブ用紙とは、インデックス情報を記入するタブ部を有する用紙（例えば、図３Ａ参照）のことであり、タブ用紙は、複数頁の書類の間に挿入して、書類の記載内容の分類・仕分けを直感的に認識することを可能にするものである。またタブ用紙は通常、タブ部の位置が異なるタブ用紙を複数枚重ねて１セット（タブ用紙セット）として構成されている。
【００２４】
［第１の実施形態の概要］
以下に示す第１の実施形態の説明では、上記印刷システムを用いて、正確にインデックス情報をタブ用紙に印字する方法について説明する。
【００２５】
すなわち、第１の実施形態では、インデックス情報を印字するための印字領域の情報を設定し、この印字領域の情報に基づいて各タブ用紙のタブ部にインデックス情報を印刷する前に、予め１枚の試し刷りシート（普通紙などの不透明用紙）に各タブ用紙に印字する全てのインデックス情報とインデックス領域の印字領域を示す境界線を印字するためのテスト印刷データを生成し、テスト印刷を実行する。
【００２６】
そして、この試し刷りシート（普通紙などの不透明用紙）をタブ用紙に重ねることにより、実際のタブ用紙セットに印刷する際に発生する印字ズレ量を目測し、その目測値を用いてインデックス情報の印字領域を調整（再設定）する。
【００２７】
最後に、再設定されたインデックス印字データの情報に基づいて印刷データを作成し、タブ用紙のタブ部にインデックス情報を印刷する。このようにして、正確にインデックス情報をタブ用紙に印字することができるので、普通紙と比較して高価なタブ用紙を印字ズレで無駄にすることがなくなる。
【００２８】
［印刷システムの構成：図１］
図１は、本発明の第１の実施の形態に係る印刷システムの全体構成を示すブロック図であり、ホストコンピュータ３０００にレーザビームプリンタ１５００が接続された構成となっている。
【００２９】
図１において、ホストコンピュータ３０００は、フォント用ＲＯＭ３ａ、プログラム用ＲＯＭ３ｂ及びフォントデータ用ＲＯＭ３ｃからなるＲＯＭ３を有する。ホストコンピュータ３０００は、ＲＯＭ３のプログラム用ＲＯＭ３ｂあるいはハードディスクやフロッピー（登録商標）ディスク等の外部メモリ（ＨＤ、ＦＤ）１１に記憶された文書処理プログラムに基づいて図形、イメージ、文字、表（表計算を含む）等が混在した文書処理を実行するＣＰＵ１を備え、システムバス４に接続される各デバイスをＣＰＵ１が総括的に制御する。
【００３０】
また、このＲＯＭ３のプログラム用ＲＯＭ３ｂあるいは外部メモリ１１には、ＣＰＵ１の制御プログラムであるオペレーティングシステムプログラム（以下、「ＯＳ」と記す）等が記憶され、ＲＯＭ３のフォント用ＲＯＭ３ａあるいは外部メモリ１１には、上記文書処理の際に使用されるフォントデータが記憶され、ＲＯＭ３のデータ用ＲＯＭ３ｃあるいは外部メモリ１１には、上記文書処理等の際に使用される各種データ、例えば各種ページ記述言語のプログラムやフォントのラスタライズ用データ等が記憶されている。
【００３１】
２はオプションＲＡＭ等により拡張可能なＲＡＭであり、ＣＰＵ１の主メモリ、ワークエリア等として機能する。５はキーボードコントローラ（ＫＢＣ）であり、キーボード（ＫＢ）９や不図示のポインティングデバイスからのキー入力を制御する。
【００３２】
６はＣＲＴコントローラ（ＣＲＴＣ）であり、ＣＲＴディスプレイ（ＣＲＴ）１０の表示制御を行う。７はディスクコントローラ（ＤＫＣ）であり、ブートプログラム、各種アプリケーション、フォントデータ、ユーザファイル、編集ファイル、プリンタ制御コマンド生成プログラム（以下、「プリンタドライバ」という）等を記憶する外部メモリ１１とのアクセスを制御する。８はプリンタコントローラ（ＰＲＴＣ）であり、所定の双方向インターフェイス２１を介してプリンタ１５００に接続され、プリンタ１５００との間の通信制御処理を実行する。
【００３３】
なお、ＣＰＵ１は、例えばＲＡＭ２上に設定された表示情報ＲＡＭ領域へのアウトラインフォントの展開（ラスタライズ）処理を実行し、ＣＲＴ１０上でのＷＹＳＩＷＹＧ（What You See Is What You Get）、すなわち、コンピュータのソフトウエアで作成した文書や図形などがディスプレイに表示された通りにプリンタで印刷できることを可能としている。また、ＣＰＵ１は、ＣＲＴ１０上の不図示のマウスカーソル等により指示されたコマンドに基づいて登録された種々のウインドウを開き、種々のデータ処理を実行する。
【００３４】
ユーザは、印刷を実行させる際、印刷の設定に関するウインドウを開き、プリンタの設定や、印刷モードの選択を含むプリンタドライバに対する印刷処理方法の設定を行える。
【００３５】
プリンタ１５００はプリンタＣＰＵ１２によって制御される。プリンタＣＰＵ１２は、フォント用ＲＯＭ１３ａ、プログラム用ＲＯＭ１３ｂ及びデータ用ＲＯＭ１３ｃからなるＲＯＭ１３を有し、プログラムＲＯＭ１３ｂに記憶された制御プログラム等あるいはハードディスクやフロッピー（登録商標）ディスクやＩＣカード等の外部メモリ（ＨＤ、ＦＤ）１４に記憶された制御プログラム等に基づいてシステムバス１５に接続される各種デバイスとのアクセスを総括的に制御し、印刷部インターフェイス（Ｉ／Ｆ）１６を介して接続される印刷部（プリンタエンジン）１７に対して出力情報としての画像信号を出力する。
【００３６】
なお、プログラム用ＲＯＭ１３ｂには、プリンタＣＰＵ１２が実行可能な制御プログラム等が記憶され、フォント用ＲＯＭ１３ａには上記出力情報を生成する際に使用するフォントデータ（アウトラインフォントデータを含む）等が記憶され、データ用ＲＯＭ１３ｃにはプリンタ１５００がハードディスク等の外部メモリがないプリンタである場合にはホストコンピュータ３０００上で利用される情報等が記憶される。
【００３７】
操作部１５０１は、操作パネルであり、操作のためのスイッチ及びＬＥＤ表示器等が配置されている（不図示）。プリンタＣＰＵ１２は入力部１８を介してホストコンピュータ３０００との通信処理が可能となっており、プリンタ１５００内の情報等をホストコンピュータ３０００に通知することができる。
【００３８】
１９はＲＡＭであり、主としてプリンタＣＰＵ１２の主メモリやワークエリアとして機能し、図示しない増設ポートに接続されるオプションＲＡＭによってメモリ量を拡張することができるように構成されている。なお、ＲＡＭ１９は、出力情報展開領域、環境データ格納領域、ＮＶＲＡＭ等に用いられる。外部メモリ１４は、ディスクコントローラ（ＤＫＣ）２０によってアクセスを制御される。外部メモリ１４は、オプションとして接続されるものであって、フォントデータ、エミュレーションプログラム、フォームデータ等を記憶する。
【００３９】
また、上述した外部メモリは、１個に限られるものではなく、少なくとも１個以上備え、内蔵フォントに加えてオプションフォントカード、言語系の異なるプリンタ制御言語を解釈するプログラムを格納した外部メモリを複数接続できるように構成されていてもよい。さらに、図示しないＮＶＲＡＭを有し、操作部１５０１からのプリンタモード設定情報をユーザ別、グループ別等のように記憶するようにしてもよい。
【００４０】
［印刷システムの機能ブロック：図２］
図２は、本印刷システムの主要な機能ブロックを示す図である。
【００４１】
ホストコンピュータ３０００におけるアプリケーション２０１、グラフィックエンジン２０２、プリンタドライバ２０３及びシステムスプーラ２０４は、外部メモリ１１に保存されたファイルとして存在し、実行される場合にＯＳやそのモジュールを利用するモジュールによってＲＡＭ２にロードされ実行されるプログラムモジュールである。
【００４２】
アプリケーション２０１及びプリンタドライバ２０３は、外部メモリ１１のＦＤや不図示のＣＤ−ＲＯＭあるいは不図示のネットワークを経由して外部メモリ１１のＨＤに追加することが可能になっている。外部メモリ１１に保存されているアプリケーション２０１は、ＲＡＭ２にロードされて実行されるが、このアプリケーション２０１からプリンタ１５００に対して印刷を行わせる際には、同様にＲＡＭ２にロードされて実行されるグラフィックエンジン２０２を利用して出力（描画）を行う。グラフィックエンジン２０２は、印刷装置毎に用意されたプリンタドライバ２０３を、同様に外部メモリ１１からＲＡＭ２にロードし、アプリケーション２０１の出力を、プリンタドライバ２０３を用いてプリンタ制御コマンドに変換する。変換されたプリンタ制御コマンドはＯＳによってＲＡＭ２にロードされたシステムスプーラ２０４を経てインターフェイス２１経由でプリンタ１５００に出力される仕組みとなっている。
【００４３】
［タブ用紙およびタブ用紙セット：図３Ａ〜３Ｃ］
図３Ａ〜３Ｃは、タブ用紙セット３００の一例を示す図である。
【００４４】
タブ用紙とは、例えば、図３Ａに示すようなタブ部３０１ａ〜ｅを有する用紙３００ａ〜ｅであり、タブ用紙セット３００とは、タブ部３０１ａ〜ｅの位置が異なるタブ用紙３００ａ〜ｅを複数枚重ねて１セット（例えば、５枚）としたものである。また、タブ用紙は、複数頁の書類（ドキュメント）の間にインデックス情報を記入したタブ用紙３００ａ〜ｅをそれぞれ挿入することによって、書類の記載内容の分類を直感的に認識することを可能にするものである。
【００４５】
各タブ部３０１ａ〜ｅの内部には、それぞれ図３Ｃに一例を示すような各タブ用紙のインデックス情報を記入（印字）するインデックス領域３０３ａ〜ｅがあり、タブ用紙セット３００では、各タブ用紙のタブ部３０１ａ〜ｅが重ならないように配置されている。
【００４６】
なおインデックス領域３０３ａ〜ｅを除いた各タブ用紙３００ａ〜ｅのサイズは同じであり、例えば、レターやＡ４用紙といった標準的なサイズである。
図３Ｂは、５枚構成のタブ用紙セットの１枚目と２枚目のタブ用紙３００ａ、３００ｂの形状を示している。市販されているタブ用紙セットの枚数は５枚とは限らないが、以下の説明では、５枚構成のタブ用紙セット３００を一例に説明する。
【００４７】
なお、図３Ａは、左開き文書に挿入するタブ用紙としてあらかじめ並べられたタブ用紙セット３００の場合を例示している。市販されているタブ用紙セットは左開き用のみとは限らないが、以下の説明では、左開き用で５枚構成のタブ用紙セット３００を一例として、説明する。
【００４８】
図３Ｃは、図３Ｂの部分拡大図であり、１枚目のインデックス領域３０３ａに「Ｎｏ．０１」というインデックス情報が印字された場合を示している。尚、図３Ｃではインデックス情報「Ｎｏ．０１」が横書きの場合を一例として示しているが、印字の方向は縦書きの場合も可能である。
【００４９】
［インデックス情報の印刷：図４］
図４は、本実施形態の印刷システムを用いた場合のタブ用紙タブ用紙セット３００のタブ部３０１ａ〜ｅにインデックス情報を印刷する前およびインデックス情報を印刷した後の一例を示しており、インデックス領域に何も印字していない状態のタブ用紙セットが重ねられた場合（インデックス情報印刷前）と、各タブ用紙３００ａ〜ｅにそれぞれインデックス領域を印刷した後に全枚を重ねてタブ用紙セット３００とした場合（インデックス情報印刷後）を示している。
【００５０】
［従来システムによるインデックス情報の印字：図５Ａ、Ｂ］
まず、上記説明した本実施形態における印刷システムを用いたインデックス情報の印字位置の調整方法を説明する前に、従来の印刷システムにおける問題点について、より詳細に説明する。
【００５１】
図５Ａ、Ｂは、比較例として、従来のインデックス領域に対するインデックス情報印字位置の調整機能を持たない印刷システムを用いた場合におけるインデックス領域を印刷した後の一例を示したものである。
【００５２】
図５Ａは、インデックス情報の印字位置が各枚のインデックス領域からずれて印字された一例を示しており、図５Ｂは、１枚目のタブ用紙に印刷されたインデックス情報のズレを部分拡大した図である。
【００５３】
図５Ｂの実線はタブ用紙３０１ａの輪郭を示し、破線で囲まれた領域はインデックス情報の印字が可能なインデックス印字領域３０３ａを示している。図５Ｂは１枚目のインデックス情報である「Ｓｅｃｔｉｏｎ １」の印字がタブ用紙に対して右側にずれた場合を例示している。
【００５４】
図５Ｂの場合には、インデックス情報の印字位置が各枚のインデックス領域からずれて印字されて印字欠けが発生するため、インデックス情報の全容が読み取れない印字結果となり、実質的にはタブ用紙としては意味をなさない。
【００５５】
このように、インデックス情報印字位置の調整機能及びテスト印字機能を持たない従来のタブ用紙印刷システムを用いて、各種のタブ用紙にインデックス情報を印字する場合、インデックス情報の印字ズレが発生し普通紙と比べて高価なタブ用紙が無駄となるおそれがあった。
【００５６】
［インデックス情報の印字位置の設定］
次に、本実施形態における印刷システムについて説明する。以下の説明では、上記説明した印刷システムを用いて、印字ズレが発生しないようにタブ用紙のタブ部（インデックス領域）にインデックス情報を印字する場合の設定について説明する。
【００５７】
［タブ部の位置情報設定：図６］
図６は、本実施形態におけるタブ用紙セット３００の各タブ部にインデックス情報を印字する基本位置の設定を行うユーザインターフェイスであるタブ部基本設定画面６００である。図６のタブ部基本設定画面６００では、本システムのユーザによって、下記の指定が行われる。
【００５８】
すなわち、タブ用紙セットを構成するタブ用紙枚数の指定（「タブ用紙枚数」６０１）、タブ用紙を挿入するドキュメントの見開き方向（左開き、右開き）の指定（「見開き方向」６０２ドロップダウンリストコントロール）、インデックス領域の横幅の指定（「幅」６０３）、インデックス領域の高さの指定（「高さ」６０５）、各インデックス領域間の間隔の指定（「間隔」６０６）、１枚目のタブ用紙の上端からインデックス領域上端までのオフセット値の指定（「上マージン」６０４）、および最終枚のタブ用紙の下端からインデックス領域下端までのオフセット値の指定（「下マージン」６０７）である。
【００５９】
［インデックス情報の印字位置の設定：図７］
以上説明したタブ部基本設定画面６００における入力が終了すると、本システムのユーザによって、「印字位置調整」６０９が選択され、図７の印字位置詳細調整画面７００に遷移する。
【００６０】
図７では、ユーザは、図６のタブ部基本設定画面６００で基本設定されたインデックス情報の印字の位置を、後述する試し刷りシートへの試し刷り結果に基づいて得られるズレ量ΔＬに基づいて調整する。なお、図７の印字位置詳細調整画面７００において、本システムのユーザが「タブ部基本設定」６０８を選択すると図６のタブ部基本設定画面６００に戻ることができる。
【００６１】
図７の印字位置詳細調整画面７００では、本システムのユーザによって、インデックス情報印字位置の横方向（タブ用紙における短手方向）のシフト量の指定（「横方向詳細調整」７０１）、およびインデックス情報印字位置の縦方向（タブ用紙における長手方向）のシフト量の指定（「縦方向詳細調整」７０２）が行われる。
【００６２】
図７に示した例では、横方向詳細調整７０１で正の値（例＋０．１）を指定した場合にインデックス情報の印字位置が水平方向右にシフトされ、横方向詳細調整７０１で負の値を指定した場合にインデックス情報の印字位置が水平方向左にシフトされる。
【００６３】
同様に、図７に示した例では、縦方向詳細調整７０２で正の値を指定した場合にインデックス情報の印字位置が垂直方向下方にシフトされ、縦方向詳細調整で負の値（例−０．１）を指定した場合にインデックス情報の印字位置が垂直方向上方にシフトされる。
【００６４】
なお、図６および図７のユーザインターフェイスの下端に配置された「試し刷り」ボタン６１０、「ＯＫ」ボタン６１１、および「キャンセル」ボタン６１２がそれぞれ押下されると、試し刷り印刷の実行、タブ用紙印刷の実行、およびタブ印刷の中止がそれぞれ実行されるように制御されている。なお、「試し刷り」ボタン６１０、「ＯＫ」ボタン６１１、および「キャンセル」ボタン６１２の詳細は後述する。
【００６５】
［インデックス情報印字位置の調整処理：図８］
図８は、本実施の形態におけるインデックス情報印字位置の調整処理のフローチャートを示す。
【００６６】
なお、詳細な説明は省略するが、本処理フローの前段では、各タブ用紙に印字するインデックス印字データとしての各インデックス情報の内容（例えば、図４の「Ｓｅｃｔｉｏｎ１」〜「Ｓｅｃｔｉｏｎ５」など）、およびインデックス情報の文字列の方向（縦書き、横書き、横書き１８０°回転等）ならびに改行位置、印字する色の設定、インデックス情報を印字する印字領域の大きさに合わせた文字サイズの設定などが不図示のユーザインターフェイス画面により行われているものとする。尚、文字サイズの設定に付随して、前記インデックス情報の内容および前記文字列の方向ならびに改行位置によって決定される印字領域がインデックス領域内に収まらない場合にインデックス領域内に収まるように文字サイズの自動調整を指定することを可能とする。
【００６７】
図８のステップＳ８０１において、まず、ユーザは、タブ部基本設定画面６００で、購入したタブ部の位置情報を含むタブ用紙セットに関する基本情報（タブ用紙枚数６０１、見開き方向６０２、インデックス領域の横幅６０３、インデックス領域の高さ６０５、インデックス領域の間隔６０６、上マージン６０４、および下マージン６０７）を設定する。
【００６８】
見開き方向６０２以外の各設定項目は、図６で説明したので、ここでの説明は省略し、「見開き方向」６０２について、図９Ａ〜図１１Ｂを用いて説明する。
【００６９】
［見開き方向の設定：図９Ａ〜図１１Ｂ］
図９Ａ、９Ｂは、タブ用紙を挿入する文書が「左開き」の場合の一例を示す。図９Ａに示すように、ここで述べる「左開き」文書とは、文書の閲覧時に左頁から右頁の順に読み進んでいく文書を指し、図９Ｂは、「左開き」文書の挿入するタブ用紙の一例を示している。この場合の綴じ位置（左側）９０１ａは、同図に塗り潰し矩形として示したようにインデックス領域の左側に位置する。
【００７０】
図１０Ａ、１０Ｂは、タブ用紙を挿入する文書が「右開き」の場合の一例を示す。図１０Ａに示したように、ここで述べる「右開き」文書とは、文書の閲覧時に右頁から左頁の順に読み進んでいくものを指し、図１０Ｂは、「右開き」文書の挿入するタブ用紙の一例を示している。この場合の綴じ位置（右側）９０１ｂは、同図に塗り潰し矩形として示したように示したようにインデックス領域の右側に位置する。
【００７１】
図１１Ａおよび１１Ｂは、図９Ｂおよび図１０Ｂを、タブ用紙の右側にインデックス領域が位置するように並べ替えた図である。
【００７２】
図１１Ａは、「右開き」の場合を例示し、図１１Ｂは、左開きの場合を例示している。図１１Ａおよび１１Ｂの右側の矢印は、インデックス情報（「Ｓｅｃｔｉｏｎ １」、「Ｓｅｃｔｉｏｎ ２」、「Ｓｅｃｔｉｏｎ ３」、 「Ｓｅｃｔｉｏｎ ４」、「Ｓｅｃｔｉｏｎ ５」）の順序を示している。
【００７３】
図１１Ａの場合は、インデックス情報の１番目にくる「Ｓｅｃｔｉｏｎ １」が下端に位置するタブ用紙３２０ａ、即ち最後に出力機器に給紙されるタブ用紙に印字され、インデックス情報の５番目にくる「Ｓｅｃｔｉｏｎ ５」が上端に位置するタブ用紙３２０ｅ、即ち最初に出力機器に給紙されるタブ用紙に印字されている。
【００７４】
同様に、図１１Ｂの場合は、インデックス情報の１番目にくる「Ｓｅｃｔｉｏｎ １」が上端に位置するタブ用紙３０１ａ、即ち最初に出力機器に給紙されるタブ用紙に印字され、インデックス情報の５番目にくる「Ｓｅｃｔｉｏｎ ５」が下端に位置するタブ用紙３０１ｅ、即ち最後に出力機器に給紙されるタブ用紙に印字されている。
【００７５】
このように、インデックス情報の順序は、タブ用紙を挿入する文書の見開き方向によって切り替える必要があり、図８のステップＳ８０１において、この見開き方向の指定を行う。
【００７６】
なお以下の説明では、タブ用紙セット３００を用いた場合を一例として説明する。
【００７７】
次に、ユーザは、ステップＳ８０１のタブ部基本設定画面６００（図６）において、タブ用紙の基本設定を終え「印字位置調整」６０９が選択されると、ステップＳ８０２に進む。
【００７８】
次にステップＳ８０２では、印字位置詳細調整画面７００（図７）において、インデックス情報の印字位置の調整値（横方向詳細調整７０１および縦方向詳細調整７０２）を設定する。各設定項目は、図７で説明したので、ここでの説明は省略する。
【００７９】
尚、ステップＳ８０１において、図６の「印字位置調整」６０９が選択されない場合、および図７の印字位置詳細調整画面７００において、インデックス情報の印字位置詳細調整値（横方向詳細調整７０１および縦方向詳細調整７０２）がユーザによって設定されない場合には、横方向詳細調整７０１および縦方向詳細調整７０２の値が「０．０ ｍｍ」と設定されたものとして処理される。
【００８０】
次に、ステップＳ８０２において、印字位置詳細調整画面７００（図７）の下端に並ぶ各種ボタン６１０〜６１２のいずれかが押下、もしくはステップＳ８０１において、タブ部基本設定画面６００（図６）の下端に並ぶ各種ボタン６１０〜６１２のいずれかが押下されたのを検知するとステップＳ８０３に進む。
【００８１】
次にステップＳ８０３では、ステップＳ８０２で押下された印字位置詳細調整画面７００（図７）のボタンが「試し刷り」６１０であったか否かを判断し、「試し刷り」６１０が押下された場合は、ステップＳ８０４に進む。一方、印字位置詳細調整画面７００（図７）で押下されたボタンが「試し刷り」６１０以外のボタン、すなわち「ＯＫ」ボタン６１１、もしくは「キャンセル」ボタン６１２の場合は、ステップＳ８０６に進む。
【００８２】
次に、ステップＳ８０４では、ステップＳ８０１のタブ部基本設定画面６００で設定されたタブ用紙枚数６０１、見開き方向６０２、インデックス領域の横幅６０３、インデックス領域の高さ６０５、インデックス領域の間隔６０６、上マージン６０４、および下マージン６０７、およびステップＳ８０２の印字位置詳細調整画面７００で設定された横方向詳細調整７０１および縦方向詳細調整７０２の設定情報に基づいて、試し刷り印刷ジョブの生成処理を行った後にステップＳ８０５に進む。
【００８３】
［試し刷り（テスト）印刷］
ここで、試し刷り（テスト）印刷について説明する。試し刷り印刷とは、タブ用紙への印刷を行う前に、タブ用紙を挿入するドキュメントの用紙サイズと同サイズの不透明用紙に対して、試し刷りを行うことにより、印字されたインデックス情報の印字位置を調整するための調整量の目安を得るための処理である。
【００８４】
試し刷り印刷ジョブは、全てのインデックス情報と、印字位置の詳細調整時の調整量の目安を得るためのガイド線を１枚の不透明用紙に印刷するためのデータで構成される。不透明用紙への試し刷り印刷ジョブデータの詳細は後述する。
【００８５】
次に、ステップＳ８０５では、ステップＳ８０４で生成した、試し刷り印刷ジョブデータを試し刷りシート（不透明用紙）に対して出力する処理を行った後に、ステップＳ８０１に戻る。
【００８６】
次に、ユーザが、試し刷り印刷の結果から前回のステップＳ８０１のタブ部基本設定画面６００（図６）で設定した内容に著しく誤った設定（例えば、タブ用紙枚数６０１の誤り、見開き方向６０２の誤り等）は認められないと判断し、その旨を示す「印字位置調整」６０９の押下を検知した場合は、ステップＳ８０２に進む。
【００８７】
［試し刷りシート（不透明用紙）による印字ズレ量の目測手順（図１２）］
図１２Ａ〜１２Ｃは、ステップＳ８０５で試し刷りシート３１０に出力した試し刷り印刷の結果を示したものである。
【００８８】
図１２Ａは、インデックス情報の印字を行うタブ用紙セット３００を示し、図１２Ｂは、１枚の試し刷りシート３１０に、印字された全インデックス情報と、印字位置詳細調整時の調整量の目安を得るためのガイド線を出力した結果を示しており、図１２Ｃは、ユーザが、印字位置詳細調整の調整量の目安として、インデックス情報の印字を行うタブ用紙セット３００の上に試し刷りシート３１０を重ね、縦および横方向の印字ズレ量を目測する手順を示したものである。また、ガイド線はタブ部の位置情報等を設定するタブ部基本設定画面６０８で入力された情報に基づいて印刷される。以下詳細に説明する。
【００８９】
［横方向の印字位置の詳細調整：図１３Ａ、１３Ｂ］
図１３Ａ、１３Ｂは、横方向の印字位置詳細調整を行う手順を示している。
【００９０】
図１３Ａにおいて、実線（Ｌ１）は、試し刷りシート３１０のタブ部（インデックス領域）に印刷されたインデックス情報の上部境界線を示している。すなわち、図１３Ａでは、インデックス情報「Ｓｅｃｔｉｏｎ１」が印字されるタブ部のインデックス情報印字領域の上部境界線を示している。
【００９１】
同様に、実線（Ｌ１）は、試し刷りシート３１０のインデックス領域に印刷されたインデックス情報「Ｓｅｃｔｉｏｎ２」、「Ｓｅｃｔｉｏｎ３」、「Ｓｅｃｔｉｏｎ４」、および「Ｓｅｃｔｉｏｎ５」が印字されるインデックス情報印字領域の上部境界線を示している。
【００９２】
また図１３Ａにおいて、実線（Ｌ２）は、試し刷りシート３１０のインデックス領域に印刷されたインデックス領域の右側境界線を示しており、実線（Ｌ３）は、試し刷りシート３１０のインデックス領域に印刷されたインデックス情報印字領域の左境界線を示している。
【００９３】
また、図１３Ａにおいて、タブ用紙セット３００は、インデックス情報の印字を行う前のタブ用紙を重ねたものであり、破線（ｉ）は、タブ用紙セット３００のインデックス領域の左端を示しており、破線（ｉｉｉ）は、タブ用紙セット３００のインデックス領域の右端を示している。
【００９４】
図１３Ａにおいて、横方向の印字位置の詳細調整量を目測する際には、図１３Ｂに示す手順で行う。すなわち、まず、実線（Ｌ２）（試し刷りシート３１０に印刷されたインデックス領域の右側境界線）と破線（ｉｉｉ）（タブ用紙セット３００のインデックス領域の右端）が重なるように、タブ用紙セット３００と試し刷りシート３１０を揃え、次に、試し刷りシート３１０上の実線（Ｌ３）の延長線を示した破線（ｉｉ）と、破線（ｉ）（タブ用紙セット３００のインデックス領域の左端）との間の距離であるズレ量（ΔＬ）を目測する。
【００９５】
図１３Ａでは、破線（ｉｉ）が破線（ｉ）と破線（ｉｉｉ）の間に位置した場合を一例として示したが、例えば破線（ｉｉ）が破線（ｉ）の左側に位置する場合には、インデックス情報の印字欠けが発生する可能性がある。これは、ステップＳ８０１のタブ部基本設定画面６００（図６）で設定したインデックス領域の横幅の指定（「幅」６０３）において、実際のインデックス領域の横幅よりも大きい値を設定しまったためである。この場合には、破線（ｉｉ）と破線（ｉ）の距離であるズレ量（ΔＬ）を目測し、ステップＳ８０１のタブ部基本設定画面６００（図６）で設定したインデックス領域の横幅の指定（「幅」６０３）を目測した調整量だけ減らすか、もしくはステップＳ８０２の印字位置詳細調整画面７００の横方向詳細調整７０１設定値を目測した調整量だけ減らしてインデックス情報印字領域、即ちインデックス印字データの印字位置を左方向にシフトさせる。
【００９６】
また、印字欠けが発生する可能性がない場合、すなわち、破線（ｉｉ）が破線（ｉｉｉ）と破線（ｉ）の間に位置する場合であっても、ステップＳ８０２で印字位置詳細調整画面７００（図７）の横方向詳細調整７０１の設定を増減することで、インデックス情報印字領域を左右方向にシフトし、見栄えを調整してもよい。
【００９７】
図１３Ａ、１３Ｂは、実線（Ｌ２）（試し刷りシート３１０に印刷されたインデックス領域の右側境界線）と破線（ｉｉｉ）（タブ用紙セット３００のインデックス領域の右端）が重なるように、タブ用紙セット３００と試し刷りシート３１０を揃えたが、実線（Ｌ３）（試し刷りシート３１０に印刷されたインデックス領域の左側境界線）と破線（ｉ）（タブ用紙セット３００のインデックス領域の左端）が重なるように、タブ用紙セット３００と試し刷りシート３１０を揃え、次に、試し刷りシート３１０上の実線（Ｌ２）の延長線と、破線（ｉｉｉ）（タブ用紙セット３００のインデックス領域の右端）との間の距離であるズレ量を目測して詳細調整をおこなってもよい。
【００９８】
［縦方向の印字位置詳細調整：図１４Ａ、１４Ｂ］
図１４Ａ、１４Ｂは、縦方向の印字位置詳細調整を行う手順を示している。
【００９９】
図１３Ａと同様に、図１４Ａの実線（Ｌ１）は、試し刷りシート３１０のインデックス領域に印刷されたインデックス情報の上部境界線を示している。すなわち、図１３Ａでは、インデックス情報「Ｓｅｃｔｉｏｎ１」が印字されるインデックス情報印字領域の上部境界線を示している。
【０１００】
同様に、実線（Ｌ１）は、試し刷りシート３１０のインデックス領域に印刷されたインデックス情報「Ｓｅｃｔｉｏｎ２」、「Ｓｅｃｔｉｏｎ３」、「Ｓｅｃｔｉｏｎ４」、および「Ｓｅｃｔｉｏｎ５」が印字されるインデックス情報印字領域の上部境界線を示している。
【０１０１】
また図１４Ａにおいて、実線（Ｌ２）は、試し刷りシート３１０のインデックス領域に印刷されたインデックス領域の右側境界線を示しており、実線（Ｌ３）は、試し刷りシート３１０のインデックス領域に印刷されたインデックス情報印字領域の左境界線を示している。
【０１０２】
また、図１４Ａにおいて、タブ用紙セット３００は、インデックス情報の印字を行う前のタブ用紙を重ねたものであり、破線（ｉ）は、タブ用紙セット３００のインデックス領域の左端を示しており、破線（ｉｖ）は、タブ用紙セット３００のインデックス領域の上端を示しおり、破線（ｖ）は、タブ用紙セット３００のインデックス領域の下端を示している。
【０１０３】
図１４Ａにおいて、縦方向の印字位置詳細調整量を目測する際には、図１４Ｂに示す手順で行う。すなわち、まず、試し刷りシート３１０の上端と、タブ紙用紙セット３００の上端、及び試し刷りシートの右端と破線（ｉ）（タブ用紙セット３００のインデックス領域の左端）のそれぞれが重なるように、タブ用紙セット３００と試し刷りシート３１０を揃え、次に、試し刷りシート３１０上の実線（Ｌ１）と破線（ｉｖ）（タブ用紙セット３００のインデックス領域の上端）との間の距離であるズレ量（ΔＬ）を目測する。
【０１０４】
図１４Ａでは実線（Ｌ１）と破線（ｉｖ）がほぼ延長線上に位置する場合を例示したが、実線（Ｌ１）と破線（ｉｖ）がずれている場合は、インデックス情報の印字欠けが発生する可能性がある。この場合、実線（Ｌ１）と破線（ｉｖ）との間の距離であるズレ量（ΔＬ）を目測し、ステップＳ８０２で印字位置詳細調整画面７００（図７）の縦方向詳細調整設定７０２を、目測した調整量を増減してインデックス情報印字領域、即ちインデックス印字データの印字位置を上下方向にシフトする。
【０１０５】
また、印字欠けが発生する可能性がない場合であっても、ステップＳ８０２で印字位置詳細調整画面７００（図７）の縦方向詳細調整設定７０２を増減することで、インデックス情報印字領域を上下方向にシフトし、見栄えを調整してもよい。
【０１０６】
試し刷り印刷結果からステップＳ８０１およびＳ８０２でインデックス情報の印字位置詳細調整を設定した後にタブ用紙セット３００への実際のタブ用紙印刷処理を指定してもよい。この場合、タブ部基本設定画面６００（図６）もしくは印字位置詳細調整画面７００（図７）の下端に位置する「ＯＫ」ボタン６１１を押下し、前記ステップＳ８０３を経てステップＳ８０６に進む。
【０１０７】
また、試し刷り印刷結果からステップＳ８０１およびＳ８０２でインデックス情報の印字位置詳細調整を設定した後に、再度試し刷り印刷を行ってもよい。この場合は、タブ部基本設定画面６００（図６）もしくは印字位置詳細調整画面７００（図７）の下端に位置する「試し刷り」ボタン６１０を押下する。
【０１０８】
このようにステップＳ８０１、ステップＳ８０２、ステップＳ８０３、ステップＳ８０４、ステップＳ８０５を繰り返して、試し刷り印刷結果からインデックス情報の印字位置詳細調整設定を十分に行った後に、タブ用紙セットへの実際のタブ用紙印刷処理を指定してもよい。この場合、タブ部基本設定画面６００（図６）もしくは印字位置詳細調整画面７００（図７）の下端に位置する「ＯＫ」ボタン６１１を押下し、ステップＳ８０３を経てステップＳ８０６に進む。
【０１０９】
ステップＳ８０６では、ステップＳ８０１のタブ部基本設定画面６００（図６）、もしくはステップＳ８０２の印字位置詳細調整画面７００（図７）で押下したボタンが、「ＯＫ」ボタン６１１である場合は、ステップＳ８０７に進み、「キャンセル」ボタン６１２であった場合は、インデックス情報印字位置調整処理を終了する。
【０１１０】
ステップＳ８０７では、ステップＳ８０１で設定されたタブ用紙基本設定（タブ用紙枚数６０１、見開き方向６０２、インデックス領域の横幅６０３、インデックス領域の高さ６０５、インデックス領域の間隔６０６、上マージン６０４、および下マージン６０７）、およびステップＳ８０２で設定された印字位置詳細調整（横方向詳細調整７０１および縦方向詳細調整７０２）の設定情報を基に、実際のタブ用紙セット３００へのインデックス印刷のためのジョブの生成処理を行った後にステップＳ８０８に進む。
【０１１１】
ステップＳ８０８では、ステップＳ８０７で生成したインデックス情報印刷ジョブデータを実際のタブ用紙セット３００に対して出力する処理を行った後に、インデックス情報印字位置調整処理を終了する。
【０１１２】
本実施の形態によれば、まずタブ用紙セット３００（例：５枚）の各タブ部にインデックス情報（Section１〜５）を印字する位置を設定する。この設定値に基づいて１枚の試し刷りシート３１０（不透明紙）上に、インデックス情報を各インデックス領域の境界線である印字位置目測用ガイドライン（Ｌ１〜３）とともに印刷する。
【０１１３】
次に、試し刷りシート３１０をタブ用紙セット３００（例：５枚）に重ねて、横方向の印字位置の印字ズレ量を計測する。
【０１１４】
次に、計測された印字ズレ量を用いて、各タブ部に印字するインデックス情報（Section１〜５）の設定値を再設定（詳細調整）する。この再設定値に基づいてタブ用紙セット３００上の各タブ部にインデックス情報（Section１〜５）を正しく印刷することができる。
【０１１５】
従って、実際のタブ用紙セットへのインデックス情報印刷を行う前に、試し刷りとインデックス情報の印字位置詳細調整処理を可能にすることで、印字ズレによってタブ用紙セットを無駄にすることを解消することができる。これは、普通紙と比べて比較的高価なタブ用紙においては特に効果が大きい。
【０１１６】
＜第２の実施形態＞
［第２の実施形態の概要］
第１の実施形態では、タブ部の位置情報及びインデックス情報を印字するための印字領域の情報を設定し、この印字領域の情報に基づいて各タブ用紙のタブ部にインデックス情報を印刷する前に、予め１枚の試し刷りシート（普通紙などの不透明用紙）に各タブ用紙に印字する全てのインデックス情報とインデックス領域を示す境界線（印字位置の目測用ガイドライン）を印字した。そして、この試し刷りシートをタブ用紙に重ねることにより、実際のタブ用紙セットに印刷した際に発生する印字ズレ幅を目測し、その目測値を用いてインデックス情報の印字位置を調整（再設定）した。
【０１１７】
第２の実施形態では、第１の実施形態で用いた試し刷りシートの代わりにＯＨＰ紙などの透明な試し刷りシートを用いて試し刷りを行うことにより、より精度良くインデックス情報の印字位置を調整（再設定）する方法について、以下説明する。
【０１１８】
すなわち、透明な試し刷りシートをタブ用紙に重ねることにより、実際のタブ用紙セットに印刷した際に発生する印字ズレ量を、透明な試し刷りシート上に印字された目盛りで正確に測定する。次に、印字ズレ量の測定値を用いてインデックス情報の印字位置をより正確に調整（再設定）することにより、より精度良くインデックス情報を印字する方法について以下説明する。
【０１１９】
なお、第２の実施形態では、試し刷りシート（ＯＨＰ紙などの透明用紙）以外の印刷システムの構成は、第１の実施形態で説明した印刷システムと全く同じである。そのため以下に述べる第２の実施形態の説明では、第１の実施形態で説明した図１〜図１１までの説明は重複するので省略し、第１の実施形態と異なる点である、試し刷りシートを用いた印字ズレ量の計測方法についてのみ図８のフローチャートを参照しながら説明するものとする。
【０１２０】
［試し刷りシートによる印字ズレ量の計測手順：図１５Ａ〜１６Ｂ］
図１５Ａ，１５Ｂは、図８のステップＳ８０５で、試し刷りシート（ＯＨＰ用紙などの透明用紙）１３１０に出力した試し刷り印刷の結果を例示したものである。
【０１２１】
図１５Ａは、インデックス情報の印字を行うタブ用紙セット３００を示し、図１５Ｂは、１枚の試し刷りシート１３１０（ＯＨＰ用紙）に、印字された、全インデックス情報と、印字位置詳細調整時の調整量の目安を得るためのガイド線（Ｌ１〜Ｌ４）を出力した結果を例示している。
【０１２２】
印字位置の詳細な調整量の目安を得る際には、図１６Ａおよび図１６Ｂに示すように、インデックス情報の印字を行うタブ用紙セット３００の上に試し刷りシート１３１０を重ねて縦および横方向の調整量（印字ズレ量）を計測する。
【０１２３】
図１７Ａは、横方向の印字位置の詳細な調整（印字ズレ量の計測）を行う手順を例示している。
【０１２４】
図１７Ａの実線（Ｌ１）は、試し刷りシート１３１０に印刷された上端のインデックス領域のインデックス情報印字領域上部境界線を表現しており、同図の場合は、インデックス情報「Ｓｅｃｔｉｏｎ１」が印字されるインデックス情報印字領域の上部境界線を示している。
【０１２５】
同様に、インデックス情報「Ｓｅｃｔｉｏｎ１」、「Ｓｅｃｔｉｏｎ２」、「Ｓｅｃｔｉｏｎ３」、「Ｓｅｃｔｉｏｎ４」、および「Ｓｅｃｔｉｏｎ５」が印字されるインデックス情報印字領域の上部境界線についても同一の試し刷りシート１３１０上に印刷している。
【０１２６】
また、同図の実線（Ｌ４）は、試し刷りシート１３１０に印刷された上端（タブ部３０１ａ）のインデックス領域のインデックス情報印字領域の下部境界線を表現しており、同図の場合は、インデックス情報「Ｓｅｃｔｉｏｎ１」が印字されるインデックス情報印字領域の下部境界線を示している。
【０１２７】
同様に、インデックス情報「Ｓｅｃｔｉｏｎ１」、「Ｓｅｃｔｉｏｎ２」、「Ｓｅｃｔｉｏｎ３」、「Ｓｅｃｔｉｏｎ４」、および「Ｓｅｃｔｉｏｎ５」が印字されるインデックス情報印字領域の下部境界線についても同一の試し刷りシート１３１０上に印刷している。
【０１２８】
また、同図の実線（Ｌ３）は、試し刷りシート１３１０に印刷されたインデックス領域左側の境界線を表現し、同図の実線（Ｌ２）は、試し刷りシート１３１０に印刷されたインデックス情報印字領域の右境界線を表現している。
【０１２９】
なお同図の実線（Ｌ１）、実線（Ｌ２）、実線（Ｌ３）、および実線（Ｌ４）で囲まれる矩形領域１３１１は、同図のインデックス情報「Ｓｅｃｔｉｏｎ１」が印字される領域を示しており、同様に、同図のインデックス情報「Ｓｅｃｔｉｏｎ２」、「Ｓｅｃｔｉｏｎ３」、「Ｓｅｃｔｉｏｎ４」、および「Ｓｅｃｔｉｏｎ５」を囲む各矩形領域も、各インデックス情報が印字される領域を示している。
【０１３０】
また同図に示したように、試し刷りシート１３１０には、印字位置の調整量を計測するための詳細調整値測定用目盛り１３１２が全インデックス領域を含むように印刷されている。インデックス情報の印字位置の詳細な調整量を計測する際には、実際にインデックス情報の印刷を行うタブ用紙セット３００のインデックス領域の右端（ｉｉｉ）（図１６Ａ参照）と試し刷りシートの実線（Ｌ２）及びタブ用紙セット３００の上端と試し刷りシートの上端とが完全に重なるように揃える（図１７Ａ）。この際、試し刷りシート１３１０がＯＨＰ用紙等の透明用紙であることから、その表面を通して、下に重ねられたタブ用紙セット３００の形状を完全に確認することができる。
【０１３１】
図１７Ｂは、インデックス情報の印字領域における調整量を計測する方法を例示している。同図の実線（Ｌ１〜Ｌ４）は、図１７Ａと同じであり、同図の実線（Ｌ１）、実線（Ｌ２）、実線（Ｌ３）、および実線（Ｌ４）で囲まれる矩形領域１３１１は、同図のインデックス情報「Ｓｅｃｔｉｏｎ１」が印字される領域を示している。
【０１３２】
同図の破線は、ＯＨＰ用紙等の透明な試し刷りシート１３１０の表面を通して目視できるタブ用紙セット３００の上端（タブ部３０１ａ）のインデックス領域３０３ａの輪郭を示している。
【０１３３】
インデックス情報の印字領域の調整量の計測は、同図の実線（Ｌ１）、実線（Ｌ２）、実線（Ｌ３）、および実線（Ｌ４）で囲まれる矩形領域１３１１と、インデックス領域３０３ａの輪郭のズレ量を確認し、縦方向、および横方向のズレ量を試し刷りシート１３１０に印刷された詳細調整値測定用目盛り１３１２の目盛りで計測する。
【０１３４】
同図に例示した場合は、実線の矩形領域１３１１が破線のインデックス領域３０３ａと比較して、左方向におよそ１目盛り、下方向におよそ１目盛りずれている一例を示したものである。尚、同図に例示した例のガイドパターンの１目盛りは１．０ｍｍの距離に対応している。左方向におよそ１目盛りずれている原因は、ステップＳ８０１のタブ部基本設定画面６００（図６）で設定したインデックス領域の横幅の指定（「幅」６０３）において、実際のインデックス領域の横幅よりも大きい値を設定しまったためである。この場合、ステップＳ８０１のタブ部基本設定画面６００（図６）で設定したインデックス領域の横幅の指定（「幅」６０３）を１．０ｍｍ減らすか、もしくはステップＳ８０２で印字位置詳細調整画面（図７）の横方向詳細調整設定を１．０ｍｍ減らしてインデックス情報印字領域を左方向に１．０ｍｍシフトすればよい。
【０１３５】
そこで、ステップＳ８０２で印字位置詳細調整画面（図７）の縦方向詳細調整設定を１．０ｍｍ減らしインデックス情報印字領域を上方向に１．０ｍｍシフトすればよい。また、印字欠けが発生する可能性がない場合、すなわち、同図のインデックス情報「Ｓｅｃｔｉｏｎ１」および不図示のインデックス情報が印字される領域を示しており、同様に、同図のインデックス情報「Ｓｅｃｔｉｏｎ２」、「Ｓｅｃｔｉｏｎ３」、「Ｓｅｃｔｉｏｎ４」、および「Ｓｅｃｔｉｏｎ５」の印字が、各インデックス情報の印字先となるタブ用紙の各インデックス領域からはみ出していない場合であっても、ステップＳ８０２で印字位置詳細調整画面（図７）の縦方向詳細調整設定および横方向詳細調整設定を増減することで、インデックス情報印字領域を上下左右方向にシフトし、見栄えを調整してもよい。
【０１３６】
試し刷り印刷結果からステップＳ８０１およびステップＳ８０２でインデックス情報の印字位置詳細調整を設定した後にタプ紙セットヘの実際のタブ紙印刷処理を指定してもよい。この場合、タブ部基本設定画面（図６）もしくは印字位置詳細調整画面（図７）の下端に位置する「ＯＫ」ボタン６１１を押下し、ステップＳ８０３を経てステップＳ８０６に進む。
【０１３７】
また、試し刷り印刷結果からステップＳ８０１およびステップＳ８０２でインデックス情報の印字位置の詳細な調整をした後に、再度試し刷り印刷を行ってもよい。
【０１３８】
この場合は、タブ部基本設定画面（図６）もしくは印字位置詳細調整画面（図７）の下端に位置する「試し刷り」ボタン６１０を押下する。このようにステップＳ８０１、ステップＳ８０２、ステップＳ８０３、ステップＳ８０４、ステップＳ８０５を繰り返して、試し刷り印刷結果からインデックス情報の印字位置の調整設定を十分に行った後に、タブ用紙セットヘの実際のタブ紙印刷処理を指定してもよい。この場合、タブ部基本設定画面（図６）もしくは印字位置詳細調整画面（図７）の下端に位置する「ＯＫ」ボタン６１１を押下し、ステップＳ８０３を経てステップＳ８０６に進む。
【０１３９】
ステップＳ８０６では、ステップＳ８０１のタブ部基本設定画面（図６）、もしくはステップＳ８０２の印字位置詳細調整画面（図７）で押下したボタンが、「ＯＫ」ボタン６１１である場合は、ステップＳ８０７に進み、「キャンセル」ボタン６１２であった場合は、インデックス情報の印字位置調整処理を終了する。
【０１４０】
ステップＳ８０７では、 ステップＳ８０１で設定されたタブ用紙基本設定（タブ用紙数６０１、見開き方向６０２、インデックス領域の横幅６０３、インデックス領域の高さ６０５、インデックス領域の間隔６０６、上マージン６０４、および下マージン６０７）、およびステップＳ８０２で設定された印字位置詳細調整（横方向詳細調整７０１および縦方向詳細調整７０２）の設定情報を基に、実際のタブ用紙セット３００へのインデックス印刷のためのジョブの生成処理を行った後にステップＳ８０８に進む。
【０１４１】
ステップＳ８０８では、ステップＳ８０７で生成したインデックス情報印刷ジョブデータを実際のタブ用紙セット３００に対して出力する処理を行った後に、インデックス情報の印字位置調整処理を終了する。
【０１４２】
本実施の形態によれば、タブ用紙のインデックス領域に対するインデックス情報印字位置を設定する際、単一のＯＨＰ用紙等の透明用紙に対して、全てのインデックス情報と印字位置調整量目測用のガイドライン付きで印刷した試し刷り結果から、実際のタブ用紙セットに印刷した際に発生するズレ幅を測定可能にし、その目測値をインデックス情報印字位置の調整値として再設定することを可能にした。従って、実際のタブ用紙セットへのインデックス情報印刷を行う前に、試し刷りとインデックス情報印字位置の詳細な調整処理を可能にすることで、印字ズレによってタブ用紙セットを無駄にすることを解消することができる。これは、普通紙と比べて比較的高価なタブ用紙においては特に効果が大きい。
【０１４３】
＜第３の実施形態＞
［第３の実施形態の概要］
第３の実施形態では、第１および第２の実施形態で行ったインデックス情報全体に対する印字位置の詳細な調整設定の代わりに、個々のインデックス情報に対する印字位置の設定を行うことにより、より精度良くインデックス情報の印字位置を調整（再設定）する方法について、以下説明する。
【０１４４】
すなわち、タブ用紙セットを構成する個々のタブ用紙のタブ部（インデックス領域）に対する印字位置調整を可能とすることにより、さらに精度良くインデックス情報を印字する方法について以下説明する。
【０１４５】
なお、第３の実施形態では、印字位置の調整画面以外の印刷システムの構成は、第１の実施例で説明した印刷システムと同じである。また、試し刷りシートの種類（不透明用紙、透明用紙）に依らず適応可能であるため第２の実施形態で説明した印刷システムとも同じである。そのため以下に述べる第３の実施形態の説明では、第１の実施形態で説明した図１〜図６と図８〜図１１Ｂ、および第２の実施形態で説明した図１２Ａ〜図１７Ｂまでは重複するので省略し、第１および第２の実施形態と異なる点である、印字位置詳細調整画面を用いた個々のタブ用紙のインデックス領域に対する印字位置調整方法についてのみ図１８の印字位置詳細調整画面を参照しながら説明するものとする。
【０１４６】
［個々のインデックス情報に対する印字位置の詳細調整：図１８］
前記タブ部基本設定画面６００における入力が終了すると、本システムのユーザによって、「印字位置詳細調整」６０９が選択され、図１８の印字位置詳細調整画面１７００に遷移する。
【０１４７】
図１８では、ユーザは、図６のタブ部基本設定画面６００で基本設定されたインデックス情報の印字の位置を、前述した試し刷りシートへの試し刷り結果に基づいて得られるズレ量ΔＬに基づいて、さらに詳細に調整する。なお、図１８の印字位置詳細調整画面１７００において、本システムのユーザが「タブ部基本設定」６０８を選択すると図６のタブ部基本設定画面６００に戻ることができる。
【０１４８】
図１８の印字位置詳細調整画面１７００では、本システムのユーザによって、タブ用紙セットを構成する個々のインデックス領域の中から指定されたインデックス領域（「調整の対象」１８０１）に対するインデックス情報印字位置の横方向のシフト量の指定（「横方向詳細調整」７０１）、およびインデックス情報印字位置の縦方向のシフト量の指定（「縦方向詳細調整」７０２）が行われる。
【０１４９】
調整の対象１８０１を用いて、縦方向／横方向詳細調整の対象となるインデックス領域を指定する場合、指定可能な値は１（最上位のタブ用紙のインデックス領域）から図６のタブ部基本設定画面６００で基本設定された、タブ用紙セットを構成するタブ用紙枚数（「タブ用紙枚数」６０１）の値までとなる。尚、インデックス領域１の下に続くインデックス領域は２，３と指定されるものとする。
【０１５０】
図１８に示した例では、調整の対象１８０１で１、すなわち最上位のインデックス領域が指定され、このインデックス領域に対して、横方向詳細調整（＋０．１）、すなわちインデックス情報の印字位置を水平方向右に０．１ｍｍシフトすることを意味している。
【０１５１】
また、図１８に示した例では、調整の対象１８０１で１、すなわち最上位のインデックス領域が指定され、このインデックス領域に対して、縦方向詳細調整（−０．１）、すなわちインデックス情報の印字位置を垂直方向上方に０．１ｍｍシフトすることを意味している。
【０１５２】
このように、縦方向／横方向の詳細調整を行うタブ部を調整の対象１８０１で切り替え、個々のインデックス領域に対する詳細な印字位置調整を行うことが可能である。
【０１５３】
なお、図６および図１８のユーザインターフェイスの下端に配置された「試し刷り」ボタン６１０、「ＯＫ」ボタン６１１、および「キャンセル」ボタン６１２がそれぞれ押下されると、試し刷り印刷の実行、タブ用紙印刷の実行、およびタブ印刷の中止がそれぞれ実行されるように制御されている。なお、「試し刷り」ボタン６１０、「ＯＫ」ボタン６１１、および「キャンセル」ボタン６１２の詳細は前述した通りである。
【０１５４】
本実施の形態によれば、タブ用紙のインデックス領域に対するインデックス情報印字位置を設定する際、単一の普通紙等の不透明用紙あるいは単一のＯＨＰ用紙等の透明用紙に対して、全てのインデックス情報と印字位置調整量目測用のガイドライン付きで印刷した試し刷り結果から、実際のタブ用紙セットに印刷した際に発生するズレ幅を測定可能にし、その目測値を元に、個々のインデックス情報領域に対する印字位置の調整を可能にした。従って、実際のタブ用紙セットへのインデックス情報印刷を行う前に、試し刷りとインデックス情報印字位置の詳細調整処理を行い、印字ズレによってタブ用紙セットを無駄にすることを解消することができる。これは、普通紙あるいはＯＨＰ用紙と比べて比較的高価なタブ用紙においては特に効果が大きい。
【０１５５】
＜第４の実施形態＞
［第４の実施形態の概要］
第４の実施形態では、第１、第２、第３の実施形態で行った片面印刷時のインデックス情報印字位置の詳細調整設定の他に、両面印刷時の一方の面（表面）に対してインデックス情報印字位置の詳細な調整設定を行うことにより、もう一方の面（裏面）のインデックス情報印字位置の調整設定を自動的に行う方法について説明する。
【０１５６】
すなわち、タブ用紙表面のインデックス領域に対する印字位置調整に伴って、タブ用紙裏面のインデックス領域に対する印字位置の自動調整を可能とすることにより、さらに効率良くインデックス情報を印字する方法について以下説明する。
【０１５７】
なお、第４の実施形態では、タブ用紙裏面のインデックス領域に対する印字位置の自動調整以外の印刷システムの構成は、第１の実施形態で説明した印刷システムと同じである。また、試し刷りシートの種類（不透明用紙、透明用紙）に依らず適応可能であるため第２の実施形態で説明した印刷システムとも同じである。さらに、個々のインデックス情報に対する印字位置の詳細調整処理も適用可能であるため、第３の実施形態で説明した印刷システムとも同じである。そのため以下に述べる第４の実施形態の説明では、第１の実施形態で説明した図１〜図１１、および第２の実施形態で説明した図１２Ａ〜図１７Ｂ、さらに第３の実施形態で説明した図１８までは重複するので省略し、第１〜第３の実施形態と異なる点である、タブ用紙裏面のインデックス領域に対する印字位置の自動調整方法についてのみ図８のフローチャートを参照しながら説明するものとする。
【０１５８】
［タブ用紙裏面のインデックス領域に対する印字位置の自動調整：図１９］
図１９Ａは、図８のステップＳ８０８で、タブ用紙に３００ａに出力した印刷の結果を例示したものであり、図１９Ｂは図１９Ａを裏返し、且つ綴じ位置を図１９Ａと同じく左側に揃えた図である。
【０１５９】
図１９Ｂのタブ部１３０１ａは図１９Ａのタブ部３０１ａの裏面であることから、図１９Ｂの下マージン６０７は図１９Ａの上マージン６０４と等しいことが分かる。また、インデックス領域の高さ６０５およびインデックス領域の幅６０３は当然ながら等しくなる。即ち、図８のステップＳ８０１で設定した、タブ用紙表面に対するインデックス領域の横幅の指定（「幅」６０３）、インデックス領域の高さの指定（「高さ」６０５）、各インデックス領域間の間隔の指定（「間隔」６０６）のみならず、１枚目のタブ用紙の上端からインデックス領域上端までのオフセット値の指定（「上マージン」６０４）、および最終枚のタブ用紙の下端からインデックス領域下端までのオフセット値の指定（「下マージン」６０７）についても、タブ部の印字位置を特定することができるため、タブ用紙裏面に対しても適用可能である。
【０１６０】
図８のステップＳ８０２についても、前記マージン（「上マージン」６０４および「下マージン」６０７）の変換方法と同様に、タブ用紙表面の調整値からタブ用紙裏面の調整値を決定することが可能である。
【０１６１】
すなわち、図７の横方向詳細調整７０１で正の値（例＋０．１）を指定した場合、タブ用紙の表裏面（両面）ともにインデックス情報の印字位置が水平方向右にシフトされる。あるいは、横方向詳細調整７０１で負の値を指定した場合、タブ用紙両面のインデックス情報の印字位置が水平方向左にシフトされる。
【０１６２】
また、図７の縦方向詳細調整７０２で正の値を指定した場合、タブ用紙表面のインデックス情報の印字位置が垂直方向下方にシフトされ、タブ用紙裏面のインデックス情報の印字位置が垂直方向上方にシフトされる。あるいは、縦方向詳細調整で負の値（例−０．１）を指定した場合、タブ用紙表面のインデックス情報の印字位置が垂直方向上方にシフトされ、タブ用紙裏面のインデックス情報の印字位置は垂直方向下方にシフトされる。
【０１６３】
ステップＳ８０５の試し刷り印刷結果からステップＳ８０１およびステップＳ８０２でインデックス情報の印字位置の詳細調整をした後にタブ紙セットヘの実際のタブ紙印刷処理を指定してもよい。この場合、タブ部基本設定画面（図６）もしくは印字位置詳細調整画面（図７）の下端に位置する「ＯＫ」ボタン６１１を押下し、ステップＳ８０３を経てステップＳ８０６に進む。
【０１６４】
また、試し刷り印刷結果からステップＳ８０１およびステップＳ８０２でインデックス情報の印字位置の詳細調整をした後に、再度試し刷り印刷を行ってもよい。
【０１６５】
この場合は、タブ部基本設定画面（図６）もしくは印字位置詳細調整画面（図７）の下端に位置する「試し刷り」ボタン６１０を押下する。このようにステップＳ８０１、ステップＳ８０２、ステップＳ８０３、ステップＳ８０４、ステップＳ８０５を繰り返して、試し刷り印刷結果からインデックス情報の印字位置の詳細調整設定を十分に行った後に、タブ用紙セットヘの実際のタブ紙印刷処理を指定してもよい。この場合、タブ部基本設定画面（図６）もしくは印字位置詳細調整画面（図７）の下端に位置する「ＯＫ」ボタン６１１を押下し、ステップＳ８０３を経てステップＳ８０６に進む。
【０１６６】
ステップＳ８０６では、ステップＳ８０１のタブ部基本設定画面（図６）、もしくはステップＳ８０２の印字位置詳細調整画面（図７）で押下したボタンが、「ＯＫ」ボタン６１１である場合は、ステップＳ８０７に進み、「キャンセル」ボタン６１２であった場合は、インデックス情報の印字位置調整処理を終了する。
【０１６７】
ステップＳ８０７では、 ステップＳ８０１で設定されたタブ用紙基本設定（タブ用紙数６０１、見開き方向６０２、インデックス領域の横幅６０３、インデックス領域の高さ６０５、インデックス領域の間隔６０６、上マージン６０４、および下マージン６０７）、およびステップＳ８０２で設定された印字位置の詳細調整（横方向詳細調整７０１および縦方向詳細調整７０２）の設定情報を基に、実際のタブ用紙セット３００へのインデックス印刷のための両面印刷ジョブの生成処理を行った後にステップＳ８０８に進む。
【０１６８】
ステップＳ８０８では、ステップＳ８０７で生成したインデックス情報印刷ジョブデータを実際のタブ用紙セット３００に対して両面出力する処理を行った後に、インデックス情報の印字位置調整処理を終了する。
【０１６９】
本実施の形態によれば、タブ用紙のインデックス領域に対するインデックス情報印字位置を設定する際、単一の普通紙等の不透明用紙あるいは単一のＯＨＰ用紙等の透明用紙に対して、全てのインデックス情報と印字位置調整量目測用のガイドライン付きで印刷した試し刷り結果から、実際のタブ用紙セットに印刷した際に発生するズレ幅を測定可能にし、その目測値を個々の、あるいは全てのインデックス情報領域に対する印字位置の調整値として再設定することを可能にした。加えて、両面印刷時に調整値の再設定がタブ用紙のもう一方の面（裏面）に対して自動適用することを可能にした。従って、実際のタブ用紙セットへのインデックス情報の両面印刷を行う前に、試し刷りとインデックス情報印字位置の詳細調整処理を可能にすることで、印字ズレによってタブ用紙セットを無駄にすることを解消することができる。これは、普通紙あるいはＯＨＰ用紙と比べて比較的高価なタブ用紙においては特に効果が大きい。
【０１７０】
【他の実施形態】
本発明は、複数の機器（例えばホストコンピュータ、インターフェイス機器、リーダ、プリンタ等）から構成されるシステムに適用してもよい。また、１つの機器からなる装置（複写機、プリンタ、ファクシミリ装置等）に適用してもよい。
【０１７１】
なお、上記実施の形態では、テキストの見出し情報を例示して説明したが、タブ用紙の見出し位置に付加される情報であればバーコードやイメージの情報の印字位置調整にも適用可能である。
【０１７２】
なお、上述した実施形態の機能を実現するソフトウエアのプログラムコードを記録した記憶媒体を印刷制御装置やシステムに供給し、その印刷制御装置等のコンピュータ（またはＣＰＵやＭＰＵ）が記憶媒体に格納されたプログラムコードを読み出し実行することによっても、本発明の目的が達成されることはいうまでもない。
【０１７３】
この場合、記憶媒体から読み出されたプログラムコード自体が本発明の新規な機能を実現することになり、そのプログラムコードを記憶した記憶媒体は本発明を構成することになる。
【０１７４】
プログラムコードを供給するための記憶媒体として、例えば、フロッピィディスク、ハードディスク、光ディスク、光磁気ディスク、ＣＤ−ＲＯＭ、ＣＤ−Ｒ、磁気テープ、不揮発性のメモリカード、ＲＯＭなどを用いることができる。
【０１７５】
また、コンピュータが読み出したプログラムコードを実行することにより上述した各実施形態の機能が実現されるだけでなく、そのプログラムコードの指示に基づいて、コンピュータ上で稼動しているＯＳ等が実際の処理の一部または全部を行い、その処理によって前述した実施形態の機能が実現される場合も含まれることはいうまでもない。
【０１７６】
さらに、記憶媒体から読み出されたプログラムコードが、コンピュータに挿入された機能拡張ボードやコンピュータに接続された機能拡張ユニットに備わるメモリに格納された後、そのプログラムコードの指示に基づいて、その機能拡張ボードや機能拡張ユニットに備わるＣＰＵ等が実際の処理の一部または全部を行い、その処理によって前述した実施形態の機能が実現される場合も含まれることはいうまでもない。
【０１７７】
【発明の効果】
以上説明したように、本発明によれば、複数のタブ用紙の全てのタブ部のガイド線と前記複数のタブ用紙の全てのタブ部のインデックスの情報とを含む１枚の用紙からなる試し刷りシートを印刷することで、タブ用紙のタブ部にインデックス情報を印字する際に、複数種のタブ用紙に対しても正確にインデックス情報をタブ部に印字でき、印字ミスによるタブ用紙の無駄を解消することができる。
【図面の簡単な説明】
【図１】本発明の印刷システムの全体構成を示すブロック図である。
【図２】印刷システムの主要な機能ブロックを示す図である。
【図３Ａ】タブ用紙セットの一例（例５枚セット）を示す図である。
【図３Ｂ】タブ用紙セットの一例（例５枚セット）を示す図である。
【図３Ｃ】図３Ａのタブ用紙のタブ部付近の部分拡大図である。
【図４】本発明の印刷システムを用いてタブ用紙セットの各タブ部にそれぞれインデックス情報を印刷する一例を示す図である。
【図５Ａ】従来のインデックス情報の印字位置を調整できない印刷システム用いて、タブ用紙セットの各タブ部にそれぞれインデックス情報を印刷した一例を示す図である。
【図５Ｂ】図５Ａのタブ用紙のタブ部付近の部分拡大図である。
【図６】ユーザがタブ用紙及びタブ部の基本設定値を入力するタブ用紙基本設定画面である。
【図７】ユーザがインデックス情報の印字位置の詳細な調整値を入力する印字位置詳細調整設定画面である。
【図８】インデックス情報の印字位置の調整処理を示すフローチャートである。
【図９Ａ】左開き文書に挿入して使用するタブ用紙セットの一例を示す図である。
【図９Ｂ】左開き文書に挿入して使用するタブ用紙セットの一例を示す図である。
【図１０Ａ】右開き文書に挿入して使用するタブ用紙セットの一例を示す図である。
【図１０Ｂ】右開き文書に挿入して使用するタブ用紙セットの一例を示す図である。
【図１１Ａ】左開き文書に挿入するタブ用紙セットのインデックス情報の順序を比較する図である。
【図１１Ｂ】右開き文書に挿入するタブ用紙セットのインデックス情報の順序を比較する図である。
【図１２Ａ】タブ用紙セットの一例を示す図である。
【図１２Ｂ】インデックス情報を印刷した試し刷りシート（不透明用紙）の一例を示す図である。
【図１２Ｃ】印刷ズレを調べるために図１２Ａの試し刷りシート（不透明用紙）をタブ用紙セットに重ねる方法を説明する図である。
【図１３Ａ】試し刷りシート（不透明）をタブ用紙セットに重ねてインデックス情報の横方向の印字位置ズレ量ΔＬの計測方法を説明する図である。
【図１３Ｂ】図１３Ａを用いた横方向の印字位置ズレ量ΔＬの計測手順方法を説明する図である。
【図１４Ａ】試し刷りシート（不透明）をタブ用紙セットに重ねてインデックス情報の縦方向の印字位置ズレ量ΔＬの計測方法を説明する図である。
【図１４Ｂ】図１４Ａを用いた縦方向の印字位置ズレ量ΔＬの計測手順方法を説明する図である。
【図１５Ａ】タブ用紙セットの一例を示す図である。
【図１５Ｂ】インデックス情報を印刷した試し刷りシート（透明用紙）の一例を示す図である。
【図１６Ａ】インデックス情報を印刷した試し刷りシート（透明用紙）をタブ用紙セットに重ねる手順の一例を示す図である。
【図１６Ｂ】インデックス情報を印刷した試し刷りシート（透明用紙）をタブ用紙セットに重ねる手順の一例を示す図である。
【図１７Ａ】試し刷りシート（透明用紙）をタブ用紙セットに重ねて、インデックス情報の縦方向および横方向の印字位置ズレ量ΔＬの計測方法を説明する図である。
【図１７Ｂ】図１７Ａ部分拡大図である。
【図１８】ユーザが個々のインデックス情報の印字位置の詳細な調整値を入力する印字位置詳細調整設定画面である。
【図１９Ａ】タブ用紙表面のインデックス領域に対する印字位置の自動調整を説明する図である。
【図１９Ｂ】タブ用紙裏面のインデックス領域に対する印字位置の自動調整を説明する図である。
【符号の説明】
１ＣＰＵ
８プリンタコントローラ（ＰＲＴＣ）
１７印刷部（プリンタエンジン）
２０１アプリケーション
２０２グラフィックエンジン
２０３プリンタドライバ
２０４システムスプーラ
１５００プリンタ
３０００ホストコンピュータ
【図１】
0004250427.tif 000002
【図２】
0004250427.tif 000003
【図３Ａ】
0004250427.tif 000004
【図３Ｂ】
0004250427.tif 000005
【図３Ｃ】
0004250427.tif 000006
【図４】
0004250427.tif 000007
【図５Ａ】
0004250427.tif 000008
【図５Ｂ】
0004250427.tif 000009
【図６】
0004250427.tif 000010
【図７】
0004250427.tif 000011
【図８】
0004250427.tif 000012
【図９Ａ】
0004250427.tif 000013
【図９Ｂ】
0004250427.tif 000014
【図１０Ａ】
0004250427.tif 000015
【図１０Ｂ】
0004250427.tif 000016
【図１１Ａ】
0004250427.tif 000017
【図１１Ｂ】
0004250427.tif 000018
【図１２Ａ】
0004250427.tif 000019
【図１２Ｂ】
0004250427.tif 000020
【図１２Ｃ】
0004250427.tif 000021
【図１３Ａ】
0004250427.tif 000022
【図１３Ｂ】
0004250427.tif 000023
【図１４Ａ】
0004250427.tif 000024
【図１４Ｂ】
0004250427.tif 000025
【図１５Ａ】
0004250427.tif 000026
【図１５Ｂ】
0004250427.tif 000027
【図１６Ａ】
0004250427.tif 000028
【図１６Ｂ】
0004250427.tif 000029
【図１７Ａ】
0004250427.tif 000030
【図１７Ｂ】
0004250427.tif 000031
【図１８】
0004250427.tif 000032
【図１９Ａ】
0004250427.tif 000033
【図１９Ｂ】
0004250427.tif 000034